(57)【要約】【課題】宅配ボックスの利便性を向上させつつ、セキュリティも確保する。【解決手段】セキュリティシステム１は、建物のエントランスに設けられた第１入力部４６と、第１入力部４６への入力に基づいて、建物のエントランスの開閉を制御する第１制御部４７と、宅配物を収納する宅配ボックス７に設けられた第２入力部７７と、第２入力部７７への入力に基づいて、宅配ボックス７の開閉を制御する第２制御部７８と、エントランスを開くためのパスワードと、宅配ボックスを開くためのパスワードに共通のパスワードを設定するパスワード設定部１６と、を備える。  第２制御部７８は、共通のパスワードが第２入力部７７に入力された場合に、宅配ボックス７を開く制御を実行し、第１制御部４７は、共通のパスワードが宅配ボックス７を開くために使用された後には、共通のパスワードが第１入力部４６に入力された場合にも、エントランスを開く制御を実行しない。【選択図】図６
2018158024.tif 000002
【特許請求の範囲】
【請求項１】
建物のエントランスに対して設けられた第１入力部と、
前記第１入力部への入力に基づいて、前記エントランスの開閉を制御する第１制御部と、
前記建物において前記エントランスよりも屋内側に設けられた、宅配物を収納する宅配ボックスに対して設けられた第２入力部と、
前記第２入力部への入力に基づいて、前記宅配ボックスの開閉を制御する第２制御部と、
前記エントランスを開くためのパスワードと、前記宅配ボックスを開くためのパスワードに共通のパスワードを設定するパスワード設定部と、を備え、
前記第２制御部は、前記共通のパスワードが前記第２入力部に入力された場合に、前記宅配ボックスを開く制御を実行し、
前記第１制御部は、前記共通のパスワードが前記宅配ボックスを開くために使用される前には、前記共通のパスワードが前記第１入力部に入力された場合に、前記エントランスを開く制御を実行し、
前記第１制御部は、前記共通のパスワードが前記宅配ボックスを開くために使用された後には、前記共通のパスワードが前記第１入力部に入力された場合に、前記エントランスを開く制御を実行しないことを特徴とするセキュリティシステム。
【請求項２】
前記第２制御部は、前記共通のパスワードが前記宅配ボックスを開くために使用された後には、前記共通のパスワードが前記第２入力部に入力された場合に、前記宅配ボックスを開く制御を実行しないことを特徴とする請求項１に記載のセキュリティシステム。
【請求項３】
前記宅配ボックスを開くために使用されたパスワードの使用履歴を記憶する使用履歴情報記憶部をさらに備えることを特徴とする請求項１又は２に記載のセキュリティシステム。
【請求項４】
前記宅配物を配達する配達人の識別情報と前記共通のパスワードを関連付けて記憶する配達情報記憶部をさらに備えることを特徴とする請求項３に記載のセキュリティシステム。
【請求項５】
前記宅配ボックスは、前記建物の各住戸にそれぞれ設置され、
前記宅配物に対して固有のパスワードを生成するパスワード生成部をさらに備え、
前記パスワード設定部は、前記パスワード生成部により生成される前記固有のパスワードを、前記エントランスを開くためのパスワードと、前記宅配物の配達先の住戸に設置される前記宅配ボックスを開くためのパスワードとして設定することを特徴とする請求項１乃至４のいずれかに記載のセキュリティシステム。
【請求項６】
エントランスと、前記エントランスよりも屋内側に設けられた、宅配物を収納する宅配ボックスと、を備える建物であって、
前記エントランスに対して設けられた第１入力部と、
前記第１入力部への入力に基づいて、前記エントランスの開閉を制御する第１制御部と、
前記宅配ボックスに対して設けられた第２入力部と、
前記第２入力部への入力に基づいて、前記宅配ボックスの開閉を制御する第２制御部と、
前記エントランスを開くためのパスワードと、前記宅配ボックスを開くためのパスワードに共通のパスワードを設定するパスワード設定部と、を備え、
前記第２制御部は、前記共通のパスワードが前記第２入力部に入力された場合に、前記宅配ボックスを開く制御を実行し、
前記第１制御部は、前記共通のパスワードが前記宅配ボックスを開くために使用される前には、前記共通のパスワードが前記第１入力部に入力された場合に、前記エントランスを開く制御を実行し、
前記第１制御部は、前記共通のパスワードが前記宅配ボックスを開くために使用された後には、前記共通のパスワードが前記第１入力部に入力された場合に、前記エントランスを開く制御を実行しないことを特徴とする建物。
【発明の詳細な説明】
【技術分野】
【０００１】
本発明は、セキュリティシステム及び建物に関する。
【背景技術】
【０００２】
集合住宅等の建物には、玄関やロビー等の共用部に共同利用型の宅配ボックスを備えたものが知られている（特許文献１を参照）。
【先行技術文献】
【特許文献】
【０００３】
【特許文献１】特許第３２６１２９５号公報
【発明の概要】
【発明が解決しようとする課題】
【０００４】
上記の従来技術においては、集合住宅の各住戸の住人は、共用部に宅配物を取りに行く必要があり、住人にとっては宅配物を運ぶ手間が発生するため利便性が低かった。
これに対し、集合住宅の各住戸に宅配ボックスを設置することも考えられるが、以下の点で課題がある。
セキュリティの観点から集合住宅の共用エントランスにはオートロックの機能が付いていることがあり、共用エントランスより内部に宅配ボックスを設置する場合には、宅配業者が共用エントランスを通過できるようにする必要がある。
しかしながら、宅配業者に共用エントランスを自由に通過できるように予めキーを渡しておくと、キー紛失時のリスクや、宅配の用途以外でも集合住宅内に入ることが可能であるため、セキュリティの観点から望ましくない。
【０００５】
本発明は上記の課題に鑑みてなされたものであって、その目的は、宅配物を収納する宅配ボックスの利便性を向上させつつ、セキュリティも確保することができるセキュリティシステム及び建物を提供することにある。
【課題を解決するための手段】
【０００６】
上記の課題は、本発明に係るセキュリティシステムによれば、建物のエントランスに対して設けられた第１入力部と、前記第１入力部への入力に基づいて、前記エントランスの開閉を制御する第１制御部と、前記建物において前記エントランスよりも屋内側に設けられた、宅配物を収納する宅配ボックスに対して設けられた第２入力部と、前記第２入力部への入力に基づいて、前記宅配ボックスの開閉を制御する第２制御部と、前記エントランスを開くためのパスワードと、前記宅配ボックスを開くためのパスワードに共通のパスワードを設定するパスワード設定部と、を備え、前記第２制御部は、前記共通のパスワードが前記第２入力部に入力された場合に、前記宅配ボックスを開く制御を実行し、前記第１制御部は、前記共通のパスワードが前記宅配ボックスを開くために使用される前には、前記共通のパスワードが前記第１入力部に入力された場合に、前記エントランスを開く制御を実行し、前記第１制御部は、前記共通のパスワードが前記宅配ボックスを開くために使用された後には、前記共通のパスワードが前記第１入力部に入力された場合に、前記エントランスを開く制御を実行しないことにより解決される。
【０００７】
また、上記の課題は、本発明に係る建物によれば、エントランスと、前記エントランスよりも屋内側に設けられた、宅配物を収納する宅配ボックスと、を備える建物であって、前記エントランスに対して設けられた第１入力部と、前記第１入力部への入力に基づいて、前記エントランスの開閉を制御する第１制御部と、前記宅配ボックスに対して設けられた第２入力部と、前記第２入力部への入力に基づいて、前記宅配ボックスの開閉を制御する第２制御部と、前記エントランスを開くためのパスワードと、前記宅配ボックスを開くためのパスワードに共通のパスワードを設定するパスワード設定部と、を備え、前記第２制御部は、前記共通のパスワードが前記第２入力部に入力された場合に、前記宅配ボックスを開く制御を実行し、前記第１制御部は、前記共通のパスワードが前記宅配ボックスを開くために使用される前には、前記共通のパスワードが前記第１入力部に入力された場合に、前記エントランスを開く制御を実行し、前記第１制御部は、前記共通のパスワードが前記宅配ボックスを開くために使用された後には、前記共通のパスワードが前記第１入力部に入力された場合に、前記エントランスを開く制御を実行しないことより解決される。
【０００８】
上記のセキュリティシステム及び建物によれば、宅配物を収容する宅配ボックスを開くためのパスワードを使用して、建物のエントランスを開いて建物内に入場することができる。
こうすることで、宅配業者は、建物のエントランスより屋内側に設置された宅配ボックスに対しても宅配物を届けることが可能となる。これにより、建物のエントランス内の任意の場所にも宅配ボックスを配置することができ、利便性が向上する。
一方で、宅配ボックスを開くために使用したパスワードは、建物のエントランスを開くためには使用できなくなる。そのため、宅配ボックスに宅配物を収容した後には、その目的外で建物のエントランス内に入場することができなくなり、セキュリティを確保できる。
すなわち、上記のセキュリティシステム及び建物によれば、宅配物を収納する宅配ボックスの利便性を向上させつつ、セキュリティも確保することができる。
【０００９】
また、上記のセキュリティシステムにおいて、前記第２制御部は、前記共通のパスワードが前記宅配ボックスを開くために使用された後には、前記共通のパスワードが前記第２入力部に入力された場合に、前記宅配ボックスを開く制御を実行しないと好適である。
こうすることで、宅配ボックスを開くために一旦使用したパスワードは、その後宅配ボックスを開くためには使用できなくなる。これにより、宅配物に対して宅配ボックスを開くことができるのは配達時の１回に限られるため、宅配ボックスのセキュリティを向上させることができる。
【００１０】
また、上記のセキュリティシステムにおいて、前記宅配ボックスを開くために使用されたパスワードの使用履歴を記憶する使用履歴情報記憶部をさらに備えると好適である。
このように、宅配ボックスを開くために使用されたパスワードの使用履歴を管理することで、宅配物が正しく配達されたかを確認できる。
【００１１】
また、上記のセキュリティシステムにおいて、前記宅配物を配達する配達人の識別情報と前記共通のパスワードを関連付けて記憶する配達情報記憶部をさらに備えると好適である。
こうすることで、パスワードの使用履歴から宅配物を届けた配達人を特定することができる。
【００１２】
また、上記のセキュリティシステムにおいて、前記宅配ボックスは、前記建物の各住戸にそれぞれ設置され、前記宅配物に対して固有のパスワードを生成するパスワード生成部をさらに備え、前記パスワード設定部は、前記パスワード生成部により生成される前記固有のパスワードを、前記エントランスを開くためのパスワードと、前記宅配物の配達先の住戸に設置される前記宅配ボックスを開くためのパスワードとして設定すると好適である。
こうすることで、建物の住戸ごとに設置された宅配ボックスのうち、宅配物の配達先の宅配ボックスに対してのみ宅配物を収容することができる。これにより、誤った宅配ボックスに宅配物が届けられてしまうことを防止できる。
【発明の効果】
【００１３】
本発明に係るセキュリティシステム及び建物によれば、宅配物を収納する宅配ボックスの利便性を向上させつつ、セキュリティも確保することができる。
【図面の簡単な説明】
【００１４】
【図１】本実施形態に係るセキュリティシステムの全体図である。
【図２】エントランス制御装置のハードウェア構成を示す図である。
【図３】宅配ボックスのハードウェア構成を示す図である。
【図４】建物管理サーバーのハードウェア構成を示す図である。
【図５】宅配情報管理サーバーのハードウェア構成を示す図である。
【図６】セキュリティシステムに備えられる機能を説明する図である。
【図７】配達情報テーブルの一例を示す図である。
【図８】宅配ボックス情報テーブルの一例を示す図である。
【図９】パスワード管理テーブルの一例を示す図である。
【図１０】宅配ボックス用パスワード使用履歴テーブルの一例を示す図である。
【図１１】宅配情報管理サーバーによるパスワードの提供処理のシーケンス図である。
【図１２】建物内のエントランス制御装置及び宅配ボックスにパスワードを設定する処理のシーケンス図である。
【図１３】エントランスドアの開錠制御処理のシーケンス図である。
【図１４】宅配ボックスの開錠制御処理のシーケンス図である。
【発明を実施するための形態】
【００１５】
以下、図１乃至図１４に基づき、本発明の一実施形態（以下、本実施形態）に係るセキュリティシステム１及び建物２について説明する。なお、以下に説明する実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【００１６】
図１には、セキュリティシステム１の全体図を示した。
セキュリティシステム１は、建物２のエントランスドア３の開閉を制御するエントランス制御装置４、建物２の各住戸５に設けられた宅配ボックス７、建物管理サーバー１０、及び宅配情報管理サーバー２０を備える。
【００１７】
建物２は、入口の共用部にオートロック機能付きのエントランスドア３を備え、エントランスドア３より屋内側に複数の住戸５が設けられた集合住宅である。
なお、図１は建物２の構造を模式的に示したものであり、エントランスドア３の手前には、風除室が設けられていることとしても勿論構わない。
【００１８】
エントランスドア３に対しては、エントランス制御装置４が設けられており、エントランス制御装置４の入力パネル４４を操作することによりエントランスドア３の開閉が制御される。
具体的には、エントランス制御装置４は、エントランス制御装置４に設定されるパスワードと、エントランス制御装置４の入力パネル４４を介して入力されるパスワードとが一致すれば、エントランスドア３を開き、一致しなければエントランスドア３を閉じたままにする。
【００１９】
住戸５には、住戸用ドア６とその脇に宅配ボックス７が設けられる。
宅配ボックス７は、入力パネル７４を備えており、宅配ボックス７に設定されるパスワードと、入力パネル７４に入力されたパスワードとが一致すれば、収納部７６の電気錠を開錠して、収納部７６に宅配物の収容を可能とする。一方で、宅配ボックス７は、宅配ボックス７に設定されるパスワードと、入力パネル７４に入力されたパスワードとが一致しなければ、収納部７６の電気錠を施錠したままとする。
なお、本実施形態においては、宅配ボックス７に、宅配物が収容された場合には、その宅配物の配達が完了したものとみなすこととする。
【００２０】
建物管理サーバー１０は、エントランス制御装置４及び各住戸５の宅配ボックス７と通信可能に接続されており、エントランス制御装置４と宅配ボックス７に開錠用のパスワードを設定する。
また、建物管理サーバー１０は、ネットワークＮに接続し、ネットワークＮを介して宅配情報管理サーバー２０と通信可能となっている。
【００２１】
なお、本実施形態に係る建物２には、エントランスドア３、エントランス制御装置４、各住戸５に設けられた宅配ボックス７、建物管理サーバー１０が含まれるものとする。
【００２２】
宅配情報管理サーバー２０は、宅配物の情報を管理するコンピュータである。
また、宅配情報管理サーバー２０は、ネットワークＮに接続し、ネットワークＮを介して建物管理サーバー１０と通信可能となっている。
【００２３】
配達人端末３０は、配達人４０の操作する携帯端末である。配達人端末３０は、ネットワークＮに接続し、ネットワークＮを介して宅配情報管理サーバー２０と通信可能となっている。
【００２４】
［セキュリティシステム１における処理の概要］
以下、図１を参照しながら、セキュリティシステム１における処理の概要について説明する。以下に説明する例では、配達人４０が宅配物５０を、宅配先である建物２の住戸５に備えられる宅配ボックス７に収納することで、配達することとする。
【００２５】
まず、宅配情報管理サーバー２０には、宅配物５０の配達先の情報（宛名、住所）が記憶されている。
そして、宅配情報管理サーバー２０は、宅配物５０（又は宅配物５０の配達番号）に応じた固有のパスワードを生成し、生成したパスワードを配達先の情報とともに建物管理サーバー１０に送信する。
【００２６】
建物管理サーバー１０は、宅配情報管理サーバー２０から配達先の情報とパスワードを受信すると、配達先の情報（宛名、住所）に基づいて特定した宅配ボックス７に、上記のパスワードを設定する。
また、建物管理サーバー１０は、上記と同じパスワードを、エントランス制御装置４に対しても設定する。
【００２７】
次に、宅配情報管理サーバー２０は、宅配物５０を配達する配達人４０が操作する配達人端末３０からの要求に応じて、配達人端末３０に宅配物５０の配達番号に紐づくパスワードを提供する。なお、配達人端末３０は、上記提供されたパスワードをディスプレイに表示することで、配達人４０がその内容を確認可能とする。
【００２８】
そして、配達人４０は、上記提供されたパスワードを、建物２のエントランス制御装置４の入力パネル４４に入力する。
ここで、エントランス制御装置４は、エントランス制御装置４に設定されているパスワードと、上記入力したパスワードが一致するか否かを判定する。
本例では一致することとし、この場合には、エントランス制御装置４がエントランスドア３を開錠することで、配達人４０はエントランスドア３より内部に入場することができる。
【００２９】
そして、配達人４０は、エントランスドア３を通じて建物２の中に入り、配達先の住戸５に設けられる宅配ボックス７に対して、エントランス制御装置４において使用したパスワードと同じものを宅配ボックス７の入力パネル７４に入力する。
ここで、宅配ボックス７は、宅配ボックス７に設定されているパスワードと、上記入力したパスワードが一致するか否かを判定する。
ここでは、両者が一致するため、宅配ボックス７は、宅配ボックス７の収納部７６のロックを解除して、収納部７６を開放状態とする。なお、宅配ボックス７に複数の収納部７６が備えられている場合においては、複数の収納部７６のうち少なくとも１つについてのロックを解除することとする。
これにより、配達人４０は宅配ボックス７の収納部７６の中に宅配物５０を収納し、収納部７６を閉じる。すると、収納部７６が再びロック状態となり、宅配物５０の配達完了となる。
【００３０】
なお、本実施形態では、宅配ボックス７のロック解除に用いたパスワードは１回だけ有効であることとし、再び同じパスワードを入力パネル７４に入力したとしても宅配ボックス７のロックは解除されないようにする。
上記の例において、誤って収納部７６を閉じた際に収納部７６がロック状態となることを防止するために、収納部７６をロック状態とする際には、所定のロック操作（例えばロック確認画面の表示と許可入力）を必要としてもよい。
また、宅配ボックス７のロック解除に用いたパスワードは、再びエントランスドア３の開錠に使用することもできなくなる。すなわち、配達人４０は、宅配物５０の配達完了後に、一旦エントランスドア３から外に出ると、宅配物５０の配達に使用したパスワードを、再びエントランス制御装置４の入力パネル４４に入力しても、パスワード認証エラーとなり、エントランスドア３が閉まったままとなる。
【００３１】
このように、セキュリティシステム１及び建物２では、宅配物５０の配達人４０は、配達先の宅配ボックス７のロック解除のためのパスワードを用いて、建物２のエントランスドア３も開錠することができる。こうすることで、配達人４０は、建物２のオートロック付きのエントランスドア３を通った先の住戸５に設けられた宅配ボックス７にも宅配物５０を届けることが可能となる。
一方で、一旦宅配物５０を届けた後には、宅配物５０の配達時に用いたパスワードはエントランスドア３の開錠にも、宅配ボックス７の開錠にも使用できなくなるため、セキュリティを確保することができる。
以下においては、以上の処理を実現するためにセキュリティシステム１に備えられる構成について詳細に説明する。
【００３２】
［セキュリティシステム１を構成する各装置のハードウェア構成］
セキュリティシステム１を構成するエントランス制御装置４、宅配ボックス７、建物管理サーバー１０及び宅配情報管理サーバー２０のハードウェア構成の一例について順に説明する。
【００３３】
［エントランス制御装置４のハードウェア構成］
図２には、エントランス制御装置４のハードウェア構成を示した。
図２に示されるように、エントランス制御装置４は、ハードウェアとして、プロセッサ４１、記憶装置４２、通信用インターフェース４３、入力パネル４４、及びドア開閉コントローラ４５を有する。
【００３４】
プロセッサ４１は、プログラムに記述された命令セットを実行するためのハードウェアである。そして、プロセッサ４１は、記憶装置４２に記憶されるプログラムやデータに基づいて各種の演算処理を実行するとともに、エントランス制御装置４の各部を制御する。
【００３５】
記憶装置４２は、例えばメモリ、磁気ディスク装置を含み構成され、各種のプログラムやデータを記憶するほか、プロセッサ４１のワークメモリとしても機能する。なお、記憶装置４２には、フラッシュメモリ、光学ディスク等の情報記憶媒体が含まれていてもよい。
【００３６】
通信用インターフェース４３は、例えばネットワークインターフェースカードを含み構成され、イントラネット等の通信網を経由して、建物管理サーバー１０等のコンピュータと通信する。
【００３７】
入力パネル４４は、例えばタッチパネル、キーボード、ボタン等の入力デバイスにより実現され、ユーザからの操作を受け付ける。なお、入力パネル４４は、表示機能も備えていてもよい。
【００３８】
ドア開閉コントローラ４５は、エントランスドア３と有線又は無線により通信し、エントランスドア３に対して開閉を指示する制御信号を伝送する。例えば、プロセッサ４１が、入力パネル４４を介して入力されたパスワードと、記憶装置４２に記憶されるパスワードが一致すると判定した場合には、プロセッサ４１はドア開閉コントローラ４５を介してエントランスドア３に対してエントランスドア３を開錠させるための制御信号を送信する。これにより、エントランスドア３が開放される。
一方で、エントランスドア３は、開放後、入場者を検出しない場合には、再び閉じ、閉状態を維持することとする。
【００３９】
［宅配ボックス７のハードウェア構成］
図３には、宅配ボックス７のハードウェア構成を示した。図３に示されるように、宅配ボックス７は、ハードウェアとして、プロセッサ７１、記憶装置７２、通信用インターフェース７３、入力パネル７４、電気錠７５及び収納部７６を有する。
【００４０】
プロセッサ７１は、プログラムに記述された命令セットを実行するためのハードウェアである。そして、プロセッサ７１は、記憶装置７２に記憶されるプログラムやデータに基づいて各種の演算処理を実行するとともに、宅配ボックス７の各部を制御する。
【００４１】
記憶装置７２は、例えばメモリ、磁気ディスク装置を含み構成され、各種のプログラムやデータを記憶するほか、プロセッサ７１のワークメモリとしても機能する。なお、記憶装置７２には、フラッシュメモリ、光学ディスク等の情報記憶媒体が含まれていてもよい。
【００４２】
通信用インターフェース７３は、例えばネットワークインターフェースカードを含み構成され、イントラネット等の通信網を経由して、建物管理サーバー１０等のコンピュータと通信する。
【００４３】
入力パネル７４は、例えばタッチパネル、キーボード、ボタン等の入力デバイスにより実現され、ユーザからの操作を受け付ける。なお、入力パネル７４は、表示機能も備えていてもよい。
【００４４】
電気錠７５は、収納部７６の扉をロックするロック機構である。電気錠７５は、プロセッサ７１から入力される制御信号に応じて、開錠と施錠を切り替える。そして、電気錠７５が開錠状態にある場合には、収納部７６の扉が開けられて、収納部７６に物を収容することができる。一方で、電気錠７５が施錠状態にある場合には、収納部７６の扉が閉められたままとなるため、収納部７６に物を収容することが制限される。
【００４５】
収納部７６は、宅配物を収容する収容空間を有する。上述したように、収納部７６には開閉可能な扉が設けられており、その扉の開閉可能な状態は電気錠７５により制御される。
【００４６】
［建物管理サーバー１０のハードウェア構成］
図４に示されるように、建物管理サーバー１０は、ハードウェアとして、プロセッサ１１、記憶装置１２、及び通信用インターフェース１３を備えるサーバーコンピュータである。
【００４７】
プロセッサ１１は、プログラムに記述された命令セットを実行するためのハードウェアである。そして、プロセッサ１１は、記憶装置１２に記憶されるプログラムやデータに基づいて各種の演算処理を実行するとともに、建物管理サーバー１０の各部を制御する。
【００４８】
記憶装置１２は、例えばメモリ、磁気ディスク装置を含み構成され、各種のプログラムやデータを記憶するほか、プロセッサ１１のワークメモリとしても機能する。なお、記憶装置１２には、フラッシュメモリ、光学ディスク等の情報記憶媒体が含まれていてもよい。
【００４９】
通信用インターフェース１３は、例えばネットワークインターフェースカードを含み構成され、インターネットやイントラネット等の通信網を経由して、エントランス制御装置４、宅配ボックス７、宅配情報管理サーバー２０等のコンピュータと通信する。
【００５０】
［宅配情報管理サーバー２０のハードウェア構成］
図５に示されるように、宅配情報管理サーバー２０は、ハードウェアとして、プロセッサ２１、記憶装置２２、及び通信用インターフェース２３を備えるサーバーコンピュータである。
【００５１】
プロセッサ２１は、プログラムに記述された命令セットを実行するためのハードウェアである。そして、プロセッサ２１は、記憶装置２２に記憶されるプログラムやデータに基づいて各種の演算処理を実行するとともに、宅配情報管理サーバー２０の各部を制御する。
【００５２】
記憶装置２２は、例えばメモリ、磁気ディスク装置を含み構成され、各種のプログラムやデータを記憶するほか、プロセッサ２１のワークメモリとしても機能する。なお、記憶装置２２には、フラッシュメモリ、光学ディスク等の情報記憶媒体が含まれていてもよい。
【００５３】
通信用インターフェース２３は、例えばネットワークインターフェースカードを含み構成され、インターネット等の通信網を経由して、建物管理サーバー１０、配達人端末３０等のコンピュータと通信する。
【００５４】
［セキュリティシステム１に備えられる機能］
次に、図６を参照しながら、セキュリティシステム１に備えられる機能について説明する。
【００５５】
図６に示されるように、宅配情報管理サーバー２０は、機能として、配達情報記憶部２４及びパスワード生成部２５を備える。
宅配情報管理サーバー２０に備えられる機能は、宅配情報管理サーバー２０のプロセッサ２１が、記憶装置２２に記憶されるプログラム及びデータに基づいて、宅配情報管理サーバー２０の各部を制御することにより実現されるものである。なお、宅配情報管理サーバー２０は、上記のプログラムを、コンピュータ読み取り可能な情報記憶媒体から読み込むこととしてもよいし、インターネットやイントラネット等の通信網を介して受信してもよい。
【００５６】
また、図６に示されるように、建物管理サーバー１０は、機能として、パスワード記憶部１４、宅配ボックス情報記憶部１５、パスワード設定部１６及び使用履歴情報記憶部１７を備える。
建物管理サーバー１０に備えられる機能は、建物管理サーバー１０のプロセッサ１１が、記憶装置１２に記憶されるプログラム及びデータに基づいて、建物管理サーバー１０の各部を制御することにより実現されるものである。なお、建物管理サーバー１０は、上記のプログラムを、コンピュータ読み取り可能な情報記憶媒体から読み込むこととしてもよいし、インターネットやイントラネット等の通信網を介して受信してもよい。
【００５７】
また、図６に示されるように、エントランス制御装置４は、機能として、第１入力部４６及び第１制御部４７を備える。
エントランス制御装置４に備えられる機能は、エントランス制御装置４のプロセッサ４１が、記憶装置４２に記憶されるプログラム及びデータに基づいて、エントランス制御装置４の各部を制御することにより実現されるものである。なお、エントランス制御装置４は、上記のプログラムを、コンピュータ読み取り可能な情報記憶媒体から読み込むこととしてもよいし、インターネットやイントラネット等の通信網を介して受信してもよい。
【００５８】
また、図６に示されるように、宅配ボックス７は、機能として、第２入力部７７及び第２制御部７８を備える。
宅配ボックス７に備えられる機能は、宅配ボックス７のプロセッサ７１が、記憶装置７２に記憶されるプログラム及びデータに基づいて、宅配ボックス７の各部を制御することにより実現されるものである。なお、宅配ボックス７は、上記のプログラムを、コンピュータ読み取り可能な情報記憶媒体から読み込むこととしてもよいし、インターネットやイントラネット等の通信網を介して受信してもよい。
以下、上記の各部の機能の詳細について説明する。
【００５９】
［配達情報記憶部２４の機能］
配達情報記憶部２４は、宅配物を配達する配達人の識別情報と、宅配物（又は宅配物を配達時の配達番号）に固有のパスワードを関連付けて記憶する機能である。
なお、上記の固有のパスワードは、宅配物の配達先の建物２のエントランスドア３を開錠するために用いられるパスワードと、宅配物の配達先の住戸５の宅配ボックス７を開錠するために用いられるパスワードとの共通のパスワードとなる。
【００６０】
配達情報記憶部２４は、主に宅配情報管理サーバー２０の記憶装置２２により実現される。
以下、配達情報記憶部２４に記憶されるデータの具体例について説明する。
【００６１】
図７には、配達情報記憶部２４に記憶される配達情報テーブル６０の一例を示した。
図７に示されるように、配達情報テーブル６０には、配達番号、宅配物の宛名、住所、宅配物の内容、配達人の識別情報（配達人ＩＤ）、配達番号に付与される固有のパスワード、配達状況、配達完了日時の各情報が記憶される。
【００６２】
配達情報テーブル６０における配達番号、宛名、住所、宅配物の内容、配達人ＩＤのフィールドについては、例えば宅配物の配達人が決定した段階で記録されることとしてよい。
そして、上記の固有のパスワードのフィールドは、後述するパスワード生成部２５により生成されたものが記録される。
また、配達状況のフィールドには、例えば宅配物の配達を開始以後には「配達中」が記録され、宅配物を配達先に届けた場合には「配達完了」が記録される。
ここで、配達完了日時のフィールドには、宅配物の配達を完了した日時が記録される。例えば配達完了日時としては、宅配物を宛先の宅配ボックス７に収納した日時、配達人端末３０から配達完了の旨を受信した日時を用いることとしてよい。
【００６３】
［パスワード生成部２５の機能］
パスワード生成部２５は、宅配物の配達作業を識別する配達番号に対して固有のパスワードを生成する機能である。
【００６４】
パスワード生成部２５は、主に宅配情報管理サーバー２０のプロセッサ２１及び記憶装置２２により実現される。
具体的には、宅配情報管理サーバー２０のプロセッサ２１は、記憶装置２２に記憶される配達情報テーブル６０に記憶されるレコードごとに、そのレコードに記録される情報に基づいてパスワードを生成する。
例えば、プロセッサ２１は、配達番号の所定の部分（例えば上位４文字、又は下位４文字）を抽出して、それをパスワードとしてもよいし、配達番号、宛名、住所、宅配物の内容、配達人ＩＤのハッシュ値を演算して、そのハッシュ値をパスワードとしてもよい。
そして、プロセッサ２１は、上記生成したパスワードを、配達情報テーブル６０の「パスワード」のフィールドに記録する。
【００６５】
［パスワード記憶部１４の機能］
パスワード記憶部１４は、配達情報テーブル６０のうち、宛先に建物２の住所が含まれるレコードを含む宅配パスワード情報を記憶する機能である。
パスワード記憶部１４は、主に建物管理サーバー１０の記憶装置１２により実現される。
パスワード記憶部１４への、宅配パスワード情報の記憶は、以下の処理により実行される。
【００６６】
まず、宅配情報管理サーバー２０のプロセッサ２１は、配達情報テーブル６０の住所のうち、建物２の住所が含まれるレコードを抽出し、抽出したレコードを含む宅配パスワード情報を、通信用インターフェース２３を介して建物管理サーバー１０に送信する。
そして、建物管理サーバー１０のプロセッサ１１は、通信用インターフェース１３を介して上記の宅配パスワード情報を受信し、受信した宅配パスワード情報を、記憶装置１２（パスワード記憶部１４）に記憶する。
【００６７】
［宅配ボックス情報記憶部１５の機能］
宅配ボックス情報記憶部１５は、建物２の各住戸５に備えられる宅配ボックス７の住所情報を記憶する機能である。
【００６８】
宅配ボックス情報記憶部１５は、主に建物管理サーバー１０の記憶装置１２により実現される。
図８には、宅配ボックス情報記憶部１５に記憶される宅配ボックス情報テーブル６１の一例を示した。
図８に示されるように、宅配ボックス情報テーブル６１には、各宅配ボックス７を識別する宅配ボックスＩＤと、その宅配ボックス７が設置される住戸５の住所情報が関連付けて記憶される。
【００６９】
［パスワード設定部１６の機能］
パスワード設定部１６は、建物２のエントランスドア３を開くためのパスワードと、宅配物の配達先の宅配ボックス７を開くためのパスワードに共通のパスワードを設定する機能である。
例えば、パスワード設定部１６は、宅配物についてパスワード生成部２５により生成される固有のパスワードを、エントランスドア３を開くためのパスワードと、その宅配物の配達先の住戸５に設置される宅配ボックス７を開くためのパスワードとの共通のパスワードとして設定する。
【００７０】
パスワード設定部１６は、主に建物管理サーバー１０のプロセッサ１１、記憶装置１２及び通信用インターフェース１３により実現される。
具体的には、建物管理サーバー１０のプロセッサ１１は、パスワード記憶部１４に記憶される宅配パスワード情報の各レコードの住所をキーとして、宅配ボックス情報テーブル６１から対応する宅配ボックスＩＤを特定する。
そして、プロセッサ１１は、記憶装置１２に記憶される宅配パスワード情報の各レコードについて、配送番号、パスワード、宅配ボックスＩＤの組を特定し、特定した情報を記憶装置１２に記憶されるパスワード管理テーブル６２（図９参照）に格納する。
【００７１】
図９に示されるように、パスワード管理テーブル６２には、配送番号、パスワード、エントランス使用済みフラグ、宅配ボックスＩＤ、宅配ボックス使用済みフラグ、配達完了日時が関連付けて記憶される。
ここで、配送番号、パスワード、宅配ボックスＩＤのフィールドには、上記特定した情報が格納される。そして、エントランス使用済みフラグには、パスワードがエントランスドア３の開錠に使用された場合には済（Ｔ）が、使用されていない場合には未（Ｆ）が格納される。なお、エントランス使用済みフラグの初期値には、未（Ｆ）が記憶される。
同様に、宅配ボックス使用済みフラグには、パスワードが宅配ボックスＩＤにより識別される宅配ボックス７の開錠に使用された場合には済（Ｔ）が、使用されていない場合には未（Ｆ）が記憶される。なお、宅配ボックス使用済みフラグの初期値には、未（Ｆ）が記憶される。
また、配達完了日時のフィールドには、宅配ボックスＩＤにより識別される宅配ボックス７への配達が完了した日時が格納される。
【００７２】
次に、建物管理サーバー１０のプロセッサ１１は、パスワード管理テーブル６２の情報に基づいて、エントランス制御装置４及び各宅配ボックス７にそれぞれ開錠用のパスワードリストを送付する。
【００７３】
具体的には、プロセッサ１１は、パスワード管理テーブル６２において、宅配ボックス使用済みフラグが「未（Ｆ）」であるレコードを抽出し、そのレコードに含まれるパスワードをエントランスドア３の開錠用のパスワードリスト（エントランス用パスワードリスト）とする。
そして、プロセッサ１１は、上記のエントランス用パスワードリストを、通信用インターフェース１３を介してエントランス制御装置４に送信する。
【００７４】
エントランス制御装置４のプロセッサ４１は、通信用インターフェース４３を介して、上記のエントランス用パスワードリストを受信すると、受信したエントランス用パスワードリストを記憶装置４２に記憶する。
ここで、エントランス制御装置４の記憶装置４２に古いエントランス用パスワードリストが記憶されていれば、プロセッサ４１は、それを上記受信した最新のエントランス用パスワードリストにより上書きして更新する。
【００７５】
また、プロセッサ１１は、宅配ボックスＩＤごとに、パスワード管理テーブル６２において、宅配ボックス使用済みフラグが「未（Ｆ）」であるレコードを抽出し、それらのレコードに含まれるパスワードを当該宅配ボックスＩＤにより識別される宅配ボックス７の開錠用のパスワードリスト（宅配ボックス用パスワードリスト）とする。
そして、プロセッサ１１は、宅配ボックスＩＤごとに、上記の宅配ボックス用パスワードリストを、通信用インターフェース１３を介して、当該宅配ボックスＩＤにより識別される宅配ボックス７に送信する。
【００７６】
宅配ボックス７のプロセッサ７１は、通信用インターフェース７３を介して、上記の宅配ボックス用パスワードリストを受信すると、受信した宅配ボックス用パスワードリストを記憶装置７２に記憶する。
ここで、宅配ボックス７の記憶装置７２に古い宅配ボックス用パスワードリストが記憶されていれば、プロセッサ７１は、それを上記受信した最新の宅配ボックス用パスワードリストにより上書きして更新する。
【００７７】
また、建物管理サーバー１０のプロセッサ１１は、パスワード管理テーブル６２に含まれるレコードにおいて、宅配ボックス使用済みフラグが済（Ｔ）に更新された場合には、そのレコードに含まれるパスワード（使用済パスワード）が、エントランスドア３の開錠に使用できないように制御する。
具体的には、プロセッサ１１は、上記の使用済パスワードをエントランス用パスワードリストから削除するための削除要求を、通信用インターフェース１３を介して、エントランス制御装置４に送信する。
そして、エントランス制御装置４のプロセッサ４１は、通信用インターフェース４３を介して上記の削除要求を受け付けると、上記の使用済パスワードをエントランス用パスワードリストから削除する。
【００７８】
［使用履歴情報記憶部１７の機能］
使用履歴情報記憶部１７は、宅配ボックス７を開くために使用されたパスワードの使用履歴を記憶する機能である。
【００７９】
使用履歴情報記憶部１７は、主に建物管理サーバー１０の記憶装置１２により実現される。
図１０を参照しながら、使用履歴情報記憶部１７に記憶されるデータの具体例について説明する。
【００８０】
図１０には、使用履歴情報記憶部１７に記憶されるパスワード使用履歴テーブル６４の一例を示した。
図１０に示されるように、パスワード使用履歴テーブル６４には、宅配ボックス７を識別する宅配ボックスＩＤ、パスワード、使用済みフラグ、使用日時が関連付けて記憶される。
【００８１】
パスワード使用履歴テーブル６４のパスワードのフィールドには、パスワード管理テーブル６２のうち宅配ボックスＩＤを含むレコードに記憶されるパスワードと同じ情報が格納される。
また、パスワード使用履歴テーブル６４の使用済みフラグは、パスワードが宅配ボックス７の開錠に使用されたか否かを示す情報であり、宅配ボックス７から受信する情報に基づいて更新する。
また、パスワード使用履歴テーブル６４の使用日時のフィールドは、パスワードが宅配ボックス７の開錠に使用された日時を示す情報であり、宅配ボックス７から受信する情報に基づいて更新する。
【００８２】
［第１入力部４６の機能］
第１入力部４６は、建物２のエントランスドア３に対して設けられ、エントランスドア３の開錠のための入力を受け付ける機能である。
第１入力部４６は、主にエントランス制御装置４の入力パネル４４により実現される。例えば、第１入力部４６は、入力パネル４４への操作者（例えば配達人４０）の操作入力（例えばパスワード）を受け付ける。
【００８３】
［第１制御部４７の機能］
第１制御部４７は、第１入力部４６への入力に基づいて、建物２のエントランスドア３の開閉を制御する機能である。
例えば、第１制御部４７は、パスワード設定部１６により設定されたパスワードリストのうちの一つのパスワードが、宅配ボックス７を開くために使用される前には、当該パスワードが第１入力部４６に入力された場合に、エントランスドア３を開く制御を実行する。
一方で、第１制御部４７は、パスワード設定部１６により設定されたパスワードリストのうちの一つのパスワードが宅配ボックス７を開くために使用された後には、当該パスワードが第１入力部４６に入力された場合には、エントランスドア３を開く制御を実行しない。
【００８４】
第１制御部４７は、主にエントランス制御装置４のプロセッサ４１、記憶装置４２、通信用インターフェース４３及びドア開閉コントローラ４５により実現される。
具体的には、プロセッサ４１は、第１入力部４６に入力されたパスワード（入力パスワード）が、記憶装置４２に記憶されるエントランス用パスワードリストの中に含まれているか否かを判定する。
そして、プロセッサ４１は、上記判定の結果、入力パスワードがエントランス用パスワードリストの中に含まれていれば、ドア開閉コントローラ４５からエントランスドア３を開錠するための制御信号を送信する。
そして、プロセッサ４１は、上記の入力パスワードが使用された旨を、通信用インターフェース４３を介して建物管理サーバー１０に通知する。
一方で、上記判定の結果、入力パスワードがエントランス用パスワードリストの中に含まれていなければ、入力パネル４４等を通じて操作者に認証エラーを通知する。
【００８５】
また、第１制御部４７に設定されるパスワードリストの更新は以下のように実行する。
【００８６】
まず、建物管理サーバー１０のプロセッサ１１は、パスワード管理テーブル６２に含まれるレコードにおいて、宅配ボックス使用済みフラグが済（Ｔ）に更新された場合には、そのレコードに含まれるパスワード（使用済パスワード）をエントランス用パスワードリストから削除するための削除要求を、通信用インターフェース１３を介してエントランス制御装置４に送信する。
そして、エントランス制御装置４のプロセッサ４１は、通信用インターフェース４３を介して上記の削除要求を受け付けると、上記の使用済パスワードをエントランス用パスワードリストから削除する。
【００８７】
［第２入力部７７の機能］
第２入力部７７は、宅配ボックス７に対して設けられ、宅配ボックス７の開錠のための入力を受け付ける機能である。
第２入力部７７は、主に宅配ボックス７の入力パネル７４により実現される。例えば、第２入力部７７は、入力パネル７４への操作者（例えば配達人４０）の操作情報（例えばパスワード）の入力を受け付ける。
【００８８】
［第２制御部７８の機能］
第２制御部７８は、第２入力部７７への入力に基づいて、宅配ボックス７の開閉を制御する機能である。
例えば、第２制御部７８は、パスワード設定部１６により設定されたパスワードリストのうちの一つのパスワードが第２入力部７７に入力された場合に、宅配ボックス７を開く制御を実行する。
また例えば、第２制御部７８は、パスワード設定部１６により設定されたパスワードリストのうちの一つのパスワードが宅配ボックス７を開くために使用された後には、当該パスワードが第２入力部７７に入力された場合にも、宅配ボックス７を開く制御を実行しない。
【００８９】
第２制御部７８は、主に宅配ボックス７のプロセッサ７１、記憶装置７２、通信用インターフェース７３及び電気錠７５により実現される。
具体的には、プロセッサ７１は、第２入力部７７に入力されたパスワード（入力パスワード）が、記憶装置７２に記憶される宅配ボックス用パスワードリストの中に含まれているか否かを判定する。
そして、プロセッサ７１は、上記判定の結果、入力パスワードが記憶装置７２に記憶される宅配ボックス用パスワードリストの中に含まれていれば、電気錠７５を開錠して、収納部７６の扉のロックを解除する。
そして、プロセッサ７１は、上記の入力パスワードを、宅配ボックス用パスワードリストから削除するとともに、上記の入力パスワードが使用された旨を、通信用インターフェース７３を介して建物管理サーバー１０に通知する。
一方で、上記判定の結果、入力パスワードが記憶装置７２に記憶される宅配ボックス用パスワードリストの中に含まれていなければ、プロセッサ７１は、入力パネル７４等を通じて操作者に認証エラーを通知する。
【００９０】
［セキュリティシステム１において実行される処理の流れ］
次に、図１１乃至図１４を参照しながら、セキュリティシステム１において実行される処理について具体的に説明する。
【００９１】
［宅配情報管理サーバー２０による宅配用パスワード情報の提供処理］
図１１に示すシーケンス図を参照しながら、宅配情報管理サーバー２０による宅配用パスワード情報の提供処理について説明する。
【００９２】
図１１に示されるように、宅配情報管理サーバー２０のプロセッサ２１は、記憶装置２２に記憶される配達情報（配達情報テーブル６０）を参照する（Ｓ２００）。
そして、プロセッサ２１は、配達情報テーブル６０の各レコードについてパスワードを生成し（Ｓ２０１）、上記生成したパスワードを配達情報テーブル６０に記憶する（Ｓ２０２）。
なお、Ｓ２０１、Ｓ２０２の処理は、パスワード生成部２５の機能により実現される。
【００９３】
次に、プロセッサ２１は、通信用インターフェース２３を介して、建物２の建物管理サーバー１０に対し、配達情報テーブル６０のうち、建物２を宛先とする宅配物についてのレコードを抽出した第１宅配用パスワード情報を送信する（Ｓ２０３）。
【００９４】
そして、建物管理サーバー１０のプロセッサ１１は、通信用インターフェース１３を介して上記送信された第１宅配用パスワード情報を受信する（Ｓ１００）。建物管理サーバー１０におけるＳ１００以降の処理については後述する。
【００９５】
また、宅配情報管理サーバー２０のプロセッサ２１は、配達人端末３０から送信された（Ｓ３００）配達人ＩＤを受信すると（Ｓ２０４）、配達情報テーブル６０の中から、上記受信した配達人ＩＤを含むレコードを抽出した第２宅配用パスワード情報を選択する（Ｓ２０５）。
そして、宅配情報管理サーバー２０のプロセッサ２１は、通信用インターフェース２３を介して、上記選択した第２宅配用パスワード情報を、配達人端末３０に対して送信する（Ｓ２０６）。
これに対し、配達人端末３０は、上記送信された第２宅配用パスワード情報を受信する（Ｓ３０１）。配達人端末３０は、配達人４０から受け付けた操作に応じて、上記受信した第２宅配用パスワード情報をディスプレイに表示するようにする。これにより、配達人４０は、宅配物の配達時に使用するパスワードの情報を確認することができる。
以上が図１１に示される処理の内容である。
【００９６】
［建物管理サーバー１０によるパスワードの設定処理］
次に、図１２に示されるシーケンス図を参照しながら、建物管理サーバー１０によるパスワードの設定処理について説明する。なお、図１２に示す処理は、図１１のＳ１００の処理に引き続いて実行されるものである。
【００９７】
図１２に示されるように、建物管理サーバー１０のプロセッサ１１は、宅配用パスワード情報の各レコードについて、対象となる宅配ボックス７を特定する（Ｓ１１０）。具体的には、プロセッサ１１は、宅配用パスワード情報の各レコードの住所をキーとして、宅配ボックス情報テーブル６１から対象となる宅配ボックスＩＤを特定する。
【００９８】
次に、建物管理サーバー１０のプロセッサ１１は、エントランスドア３の開錠用パスワードのリスト（エントランス用パスワードリスト）と、各宅配ボックス７の開錠用パスワードのリスト（宅配ボックス用パスワードリスト）を設定する（Ｓ１１１）。
【００９９】
そして、建物管理サーバー１０のプロセッサ１１は、上記設定したエントランス用パスワードリストを、通信用インターフェース１３を介して、エントランス制御装置４に送信する（Ｓ１１２）。
【０１００】
エントランス制御装置４のプロセッサ４１は、通信用インターフェース４３を介して、エントランス用パスワードリストを受信し（Ｓ４００）、受信したエントランス用パスワードリストに基づいて、記憶装置４２に記憶される開錠用のパスワードリストを更新する（Ｓ４０１）。
【０１０１】
また、建物管理サーバー１０のプロセッサ１１は、宅配ボックスＩＤごとに、上記設定した宅配ボックス用パスワードリストを、通信用インターフェース１３を介して、宅配ボックスＩＤに対応する宅配ボックス７に送信する（Ｓ１１３）。
【０１０２】
宅配ボックス７のプロセッサ７１は、通信用インターフェース７３を介して、宅配ボックス用パスワードリストを受信し（Ｓ７００）、受信した宅配ボックス用パスワードリストに基づいて、記憶装置７２に記憶される開錠用のパスワードリストを更新する（Ｓ７０１）。
以上が図１２に示される処理の内容である。
【０１０３】
［エントランス制御装置４と建物管理サーバー１０による開錠制御処理］
次に、図１３に示されるシーケンス図を参照しながら、エントランスドア３入場時のエントランス制御装置４と建物管理サーバー１０による開錠制御処理について説明する。
【０１０４】
図１３に示されるように、エントランス制御装置４のプロセッサ４１は、入力パネル４４を介して、操作者（例えば配達人４０）からパスワードの入力を受け付ける（Ｓ４１０）。
そして、エントランス制御装置４のプロセッサ４１は、Ｓ４１０で受け付けたパスワードが、記憶装置４２に記憶される開錠用のパスワードリストのいずれかと一致するか否かを判定する（Ｓ４１１）。
【０１０５】
Ｓ４１１で「一致する」と判定する場合には（Ｓ４１１：Ｙｅｓ）、エントランス制御装置４のプロセッサ４１は、ドア開閉コントローラ４５を通じてエントランスドア３に開錠信号を送信して、エントランスドア３を開錠する（Ｓ４１２）。
そして、エントランス制御装置４のプロセッサ４１は、Ｓ４１０で入力されたパスワードが使用された旨を、通信用インターフェース４３を介して、建物管理サーバー１０に通知する（Ｓ４１３）。
【０１０６】
建物管理サーバー１０のプロセッサ１１は、通信用インターフェース１３を介して上記の通知を受け付けると（Ｓ１２０）、パスワードの使用履歴を更新する（Ｓ１２１）。
具体的には、建物管理サーバー１０のプロセッサ１１は、Ｓ４１０で入力されたパスワードについてパスワード管理テーブル６２使用済パスワードのエントランス使用済みフラグを済（Ｔ）に更新する。
【０１０７】
なお、Ｓ４１１で「一致しない」と判定する場合には（Ｓ４１１：Ｎｏ）、エントランス制御装置４のプロセッサ４１は、入力パネル４４にパスワード認証エラーを表示させる（Ｓ４１４）。
以上が図１３に示される処理の内容である。
上記の処理において、エントランス制御装置４のプロセッサ４１は、入力パネル４４を介して入力されたパスワードによる認証が所定回数失敗した場合には、所定時間に渡ってエントランスドア３の開放を制限してもよいし、所定のセキュリティセンターへの通報を行うようにしてもよい。
【０１０８】
［宅配ボックス７と建物管理サーバー１０による開錠制御処理］
次に、図１４に示されるシーケンス図を参照しながら、宅配ボックス７への宅配物の収納時における、宅配ボックス７と建物管理サーバー１０による開錠制御処理について説明する。
【０１０９】
図１４に示されるように、宅配ボックス７のプロセッサ７１は、入力パネル７４を介して、操作者（例えば配達人４０）からパスワードの入力を受け付ける（Ｓ７１０）。
そして、宅配ボックス７のプロセッサ７１は、Ｓ７１０で受け付けたパスワードが、記憶装置７２に記憶される開錠用のパスワードリストのいずれかと一致するか否かを判定する（Ｓ７１１）。
【０１１０】
Ｓ７１１で「一致する」と判定する場合には（Ｓ７１１：Ｙｅｓ）、宅配ボックス７のプロセッサ７１は、電気錠７５を開錠して（Ｓ７１２）、収納部７６の扉のロックを解除する。
そして、収納部７６に宅配物５０が収納され、収納部７６の扉が閉められると、宅配ボックス７のプロセッサ７１は、Ｓ７１０で入力されたパスワードを、記憶装置４２に記憶される開錠用のパスワードリストから削除する（Ｓ７１３）。
そして、宅配ボックス７のプロセッサ７１は、Ｓ７１０で入力されたパスワード（使用済パスワード）が使用された旨及び収納部７６（電気錠７５）の施錠日時を、通信用インターフェース７３を介して建物管理サーバー１０に通知する（Ｓ７１４）。なお、上記の施錠日時は、Ｓ７１０で入力されたパスワードにより開錠された収納部７６（電気錠７５）が、次に施錠された日時とする。
【０１１１】
建物管理サーバー１０のプロセッサ１１は、通信用インターフェース１３を介して上記の通知を受け付けると（Ｓ１３０）、パスワードの使用履歴を更新する（Ｓ１３１）。
具体的には、建物管理サーバー１０のプロセッサ１１は、使用済パスワードについてのパスワード管理テーブル６２の宅配ボックス使用済みフラグを済（Ｔ）に更新するとともに、配達完了日時に、例えば上記通知された施錠日時を記録する。
また、建物管理サーバー１０のプロセッサ１１は、宅配物を収納する宅配ボックスＩＤと使用済みパスワードに基づいて特定されるパスワード使用履歴テーブル６４のレコードにおいて、使用済みフラグを済（Ｔ）に更新するとともに、使用日時の情報に、Ｓ７１０で入力されたパスワードの入力日時を書き込む。
【０１１２】
そして、建物管理サーバー１０のプロセッサ１１は、使用済パスワードをパスワードリストから削除させるための削除要求を、通信用インターフェース１３を介してエントランス制御装置４に送信する（Ｓ１３２）。
【０１１３】
エントランス制御装置４のプロセッサ４１は、通信用インターフェース４３を介して上記の削除要求を受信すると（Ｓ４２０）、上記の使用済パスワードを記憶装置４２に記憶される開錠用パスワードリストから削除する（Ｓ４２１）。
【０１１４】
また、建物管理サーバー１０のプロセッサ１１は、パスワード管理テーブル６２に記憶された配達番号とその配達完了日時を、通信用インターフェース１３を介して宅配情報管理サーバー２０に送信する（Ｓ１３３）。
【０１１５】
そして、宅配情報管理サーバー２０のプロセッサ２１は、通信用インターフェース２３を介して、上記の配達番号と配達完了日時を受信し（Ｓ２１０）、受信した情報に基づいて配達情報テーブル６０の「配達状況」及び「配達完了日時」のフィールドを更新する。
これにより、宅配情報管理サーバー２０では、宅配物の配達状況を把握することができる。
【０１１６】
なお、Ｓ７１１でＮｏと判定する場合には（Ｓ７１１：Ｎｏ）、宅配ボックス７のプロセッサ７１は、入力パネル７４にパスワード認証エラーを表示させる（Ｓ７１５）。
以上が図１４に示される処理の内容である。
上記の処理において、宅配ボックス７のプロセッサ７１は、入力パネル７４を介して入力されたパスワードによる認証が所定回数失敗した場合には、所定時間に渡って宅配ボックス７の収納部７６の開錠を制限してもよいし、所定のセキュリティセンターへの通報を行うようにしてもよい。
【０１１７】
［セキュリティシステム１により奏される効果］
以上説明したセキュリティシステム１及び建物２によれば、宅配物を収容する宅配ボックスを開くために宅配情報管理サーバー２０により設定されたパスワードを使用して、建物２のエントランスドア３を開錠して建物２内に入場することができる。こうすることで、宅配業者（配達人４０）は、建物２のエントランスドア３より屋内側に設置された宅配ボックス７に宅配物を届けることが可能となる。これにより、建物２の住戸５に近い場所にも宅配ボックス７を配置することができ、利便性が向上する。
一方で、宅配ボックス７を開くために一旦使用したパスワードは、建物２のエントランスドア３を開くためには使用できなくなる。そのため、宅配ボックス７に宅配物を収容した後には、その目的外で建物２のエントランスドア３より内側には入ることができなくなり、セキュリティを確保できる。
すなわち、上記のセキュリティシステム１及び建物２によれば、宅配物を収納する宅配ボックス７の利便性を向上させつつ、セキュリティも確保することができる。
【０１１８】
また、セキュリティシステム１では、宅配ボックス７を開くために一旦使用したパスワードは、宅配ボックス７を開くためには使用できなくなる。これにより、宅配物に対して宅配ボックスを開くことができるのは配達時の１回に限られるため、宅配ボックス７のセキュリティを向上させることができる。
【０１１９】
また、セキュリティシステム１では、宅配ボックス７を開くために使用されたパスワードの履歴を管理することで、宅配物が正しく配達されたかを確認できる。
【０１２０】
また、セキュリティシステム１では、宅配ボックス７を開くために使用されたパスワードの履歴から宅配物を届けた配達人を特定することができる。
【０１２１】
また、セキュリティシステム１では、建物２の住戸５ごとに設置された宅配ボックス７のうち、宅配物の配達先の宅配ボックス７に対してのみ開錠用のパスワードを設定することで、誤った宅配ボックス７に宅配物が届けられてしまうことを防止できる。
【０１２２】
［その他の実施形態］
本発明は、上記の実施形態に限定されるものではない。
例えば、上記の実施形態では、エントランス制御装置４と宅配ボックス７が入力されたパスワードに基づくパスワード認証を行うこととしたが、エントランス制御装置４と宅配ボックス７は、それぞれ入力されたパスワードを建物管理サーバー１０に送信して、建物管理サーバー１０においてパスワード認証を行うようにしてもよい。
【０１２３】
また、上記の実施形態では、建物管理サーバー１０と宅配情報管理サーバー２０とを別々のコンピュータとして構成することとしたが、建物管理サーバー１０と宅配情報管理サーバー２０と一つのコンピュータに統合しても構わない。
【０１２４】
また、上記の実施形態では、宅配ボックス７が建物２の各住戸５に設置されることとしたが、宅配ボックス７は、フロアごと、エリアごとに設けられていてもよい。
【０１２５】
また、上記の実施形態では、操作者（例えば配達人４０）がエントランス制御装置４の入力パネル４４及び宅配ボックス７の入力パネル７４を操作してパスワードを入力する例について説明したが、配達人４０の配達人端末３０からパスワードをエントランス制御装置４及び宅配ボックス７に対して送信するようにしてもよい。
また、セキュリティシステム１は、集合住宅に限らず、オフィスビル等の建物に対しても適用可能である。
【０１２６】
また、上記の実施形態においてセキュリティシステム１に記憶されるデータは、クラウドサーバに記憶されていてもよい。
また、上記の実施形態では、住所に基づいて宅配ボックス７を特定することとしたが、住所と宛名に基づいて宅配ボックス７を特定することとしてもよい。この場合には、図８に示す宅配ボックス情報テーブル６１において、宅配ボックスＩＤに対して、住所と宛名を関連付けて記憶することとする。
【０１２７】
また、セキュリティシステム１において、エントランス制御装置４において使用されていないパスワードが、宅配ボックス７の入力パネル７４に入力された場合には、認証エラーとして収納部７６のロックを解除しないようにしてよい。
【０１２８】
また、セキュリティシステム１において、宅配情報管理サーバー２０に宅配物の情報が登録された場合に、建物管理サーバー１０に対して建物２に宅配ボックス７が備えられているか否かを問合せるようにしてもよい。そして、宅配情報管理サーバー２０は、建物２が宅配ボックス７を備える場合に、建物管理サーバー１０から宅配ボックスＩＤ、住所、宛名の情報を関連付けた情報を取得するようにしてよい。
【符号の説明】
【０１２９】
Ｎ  ネットワーク
１  セキュリティシステム
２  建物
３  エントランスドア
４  エントランス制御装置
５  住戸
６  住戸用ドア
７  宅配ボックス
１０  建物管理サーバー
１１  プロセッサ
１２  記憶装置
１３  通信用インターフェース
１４  パスワード記憶部
１５  宅配ボックス情報記憶部
１６  パスワード設定部
１７  使用履歴情報記憶部
２０  宅配情報管理サーバー
２１  プロセッサ
２２  記憶装置
２３  通信用インターフェース
２４  配達情報記憶部
２５  パスワード生成部
３０  配達人端末
４０  配達人
４１  プロセッサ
４２  記憶装置
４３  通信用インターフェース
４４  入力パネル
４５  ドア開閉コントローラ
４６  第１入力部
４７  第１制御部
５０  宅配物
６０  配達情報テーブル
６１  宅配ボックス情報テーブル
６２  パスワード管理テーブル
６４  パスワード使用履歴テーブル
７１  プロセッサ
７２  記憶装置
７３  通信用インターフェース
７４  入力パネル
７５  電気錠
７６  収納部
７７  第２入力部
７８  第２制御部
【図１】
2018158024.tif 000003
【図２】
2018158024.tif 000004
【図３】
2018158024.tif 000005
【図４】
2018158024.tif 000006
【図５】
2018158024.tif 000007
【図６】
2018158024.tif 000008
【図７】
2018158024.tif 000009
【図８】
2018158024.tif 000010
【図９】
2018158024.tif 000011
【図１０】
2018158024.tif 000012
【図１１】
2018158024.tif 000013
【図１２】
2018158024.tif 000014
【図１３】
2018158024.tif 000015
【図１４】
2018158024.tif 000016